【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
移動式リフトクレーンの分解および輸送方法であって、
前記リフトクレーンは、分解前においては、ｉ）旋回体と、ｉｉ）前記旋回体上に枢動可能に取り付けられるブームと、ｉｉｉ）前記旋回体に結合されるフレームの内部に取り付けられるブームホイストドラムと、ｉｖ）複数のシーブを有し、前記クレーンの他の部分から取り外すことができるが、前記複数のシーブの全てがまとまった状態を保持する内蔵型構造として維持される下部イコライザであって、前記旋回体に連結される下部イコライザと、ｖ）上部イコライザと、ｖｉ）前記上部イコライザと前記ブームの頂部との間に連結される固定長さのペンダントと、ｖｉｉ）前記ブームホイストドラム上に巻回されて、前記下部イコライザおよび前記上部イコライザに掛け回されるブームホイストラインと、を備え、前記ブームホイストドラムの回転が前記下部イコライザと前記上部イコライザとの間のブームホイストラインの量を変化させて、それによって前記旋回体と前記ブームとの間の角度を変えるようにされており、
ａ）前記ブームの頂部と前記上部イコライザとの間から前記固定長さのペンダントを取り外すステップと、
ｂ）前記旋回体から前記下部イコライザを取り外すステップと、
ｃ）前記旋回体から前記ブームホイストドラムのフレームを取り外すステップと、
ｄ）前記ブームホイストラインを、前記下部イコライザと前記上部イコライザとの間に掛け回されかつ前記ブームホイストドラム上に巻回された状態のまま残すステップと、
ｅ）前記下部イコライザを前記ブームホイストドラムのフレームに連結するステップと、
ｆ）前記ブームホイストドラム、前記ブームホイストドラムのフレーム、前記下部イコライザ、前記上部イコライザおよび前記ブームホイストラインを、一緒に、単一の輸送トレーラで作業現場間で輸送するステップと
を含む方法。
【請求項２】
前記上部イコライザを前記ブームホイストドラムのフレームに連結するステップをさらに含む、請求項１に記載の方法。
【請求項３】
前記リフトクレーンが、分解前において、第１端部が前記旋回体に取り付けられるマストであって、反対側の第２端部を有するマストをさらに含み、前記下部イコライザが、前記マストの第２端部に近接して前記マストに連結されることによって前記旋回体に連結され、かつ、前記下部イコライザを取り外すステップが、前記下部イコライザを前記マストから取り外すステップを含む、請求項１および２のいずれか一項に記載の方法。
【請求項４】
前記上部および下部イコライザを、作業現場間で輸送する間、前記ブームホイストドラムのフレームにピン止めする、請求項１〜３のいずれか１項に記載の方法。
【請求項５】
前記固定長さのペンダントがストラップを含み、前記固定長さのペンダントを取り外すステップが、前記ブームおよび前記上部イコライザの両方から前記ストラップを取り外すステップを含む、請求項１〜４のいずれか１項に記載の方法。
【請求項６】
前記下部イコライザを前記ブームホイストドラムのフレームに連結するステップを、前記旋回体から前記ブームホイストドラムのフレームを取り外すステップの前に実施する、請求項１〜５のいずれか１項に記載の方法。
【請求項７】
前記ブームの頂部と前記上部イコライザとの間から前記固定長さのペンダントを取り外すステップと、前記下部イコライザを前記ブームホイストドラムのフレームに連結するステップとの間で、前記上部イコライザを前記マストの第２端部に近接して一時的に連結する、請求項３に記載の方法。
【請求項８】
移動式リフトクレーンの分解方法であって、
前記リフトクレーンは、分解前においては、ｉ）旋回体と、ｉｉ）前記旋回体上に枢動可能に取り付けられるブームと、ｉｉｉ）前記旋回体に結合されるフレームの内部に取り付けられるブームホイストドラムと、ｉｖ）前記旋回体に連結される下部イコライザと、ｖ）上部イコライザと、ｖｉ）前記上部イコライザと前記ブームの頂部との間に連結される固定長さのペンダントと、ｖｉｉ）前記ブームホイストドラム上に巻回されて前記下部イコライザおよび前記上部イコライザに掛け回されるブームホイストラインと、を備え、前記ブームホイストドラムの回転が前記下部イコライザと前記上部イコライザとの間のブームホイストラインの量を変化させて、それによって前記旋回体と前記ブームとの間の角度を変えるようにされており、
ａ）前記ブームの頂部と前記上部イコライザとの間から前記固定長さのペンダントを取り外すステップと、
ｂ）前記旋回体から前記下部イコライザを取り外すステップと、
ｃ）前記旋回体から前記ブームホイストドラムのフレームを取り外すステップと、
ｄ）前記ブームホイストラインを、前記下部イコライザと前記上部イコライザとの間に掛け回されかつ前記ブームホイストドラム上に巻回された状態のまま残すステップと、
ｅ）前記下部イコライザおよび上部イコライザを前記ブームホイストドラムのフレームに連結して、ガントリーを含まない組み合わされた１つの輸送アセンブリを形成するステップと
を含む方法。
【請求項９】
前記下部イコライザおよび上部イコライザを前記ブームホイストドラムのフレームに連結して、組み合わされた１つの輸送アセンブリを形成するステップが、前記下部イコライザおよび上部イコライザを前記フレームにピン止めするステップを含む、請求項８に記載の方法。
【請求項１０】
フレームに固定されるブームホイストドラムと、複数のシーブを有する第１イコライザと、複数のシーブを有する第２イコライザと、ブームホイストラインとの組合せ体であって、前記第１イコライザは前記ブームホイストドラムのフレームに取り外し可能に直接連結され、前記第２イコライザも前記ブームホイストドラムのフレームに取り外し可能に直接連結され、前記ブームホイストラインは前記ブームホイストドラム上に巻回されかつ前記第１および第２イコライザのシーブの間に掛け回されている組合せ体。
【請求項１１】
前記第１および第２イコライザを前記ブームホイストドラムのフレームに連結することに加えて、前記両イコライザが相互に連結される、請求項１０に記載の組合せ体。
【請求項１２】
前記第１イコライザが、前記ブームホイストドラムのフレームにピン止めされることによって取り外し可能に連結され、前記第２イコライザが、前記ブームホイストドラムのフレームにピン止めされることによって取り外し可能に連結される、請求項１１に記載の組合せ体。
【請求項１３】
前記第１イコライザが、間に横断部材を有する２つの側部部材と、２つの側部延長部とを有し、前記横断部材は複数のシーブを支持し、前記２つの側部部材は、それぞれ、第１の大きな孔と、前記第１の孔よりも小さい第２の孔とを有し、前記第１の孔によって、前記第１イコライザを移動式リフトクレーンの別の構成要素に連結でき、前記第２の孔は前記第１イコライザを前記ブームホイストドラムのフレームに取り外し可能に連結するために用いられ、前記側部延長部は、それぞれ、孔を含み、それによって、前記第１イコライザが前記第２イコライザにピン止めされる、請求項１１に記載の組合せ体。
【請求項１４】
前記第２イコライザが、その間に横断部材を有する２つの側部部材と、２つの側部延長部とを有し、前記横断部材は複数のシーブを支持し、前記２つの側部部材は、それぞれ、第１の大きな孔を有し、この孔によって、前記第２イコライザを移動式リフトクレーンの別の構成要素に連結でき、前記側部延長部は、それぞれ、第１の孔および第２の孔を含み、前記第１の孔によって、前記第１イコライザが前記第２イコライザにピン止めされ、前記第２の孔は、前記第２イコライザを前記ブームホイストドラムのフレームに取り外し可能に連結するために用いられる、請求項１１および１２のいずれか一項に記載の組合せ体。
【請求項１５】
ａ）可動な接地部材を有する車体と、
ｂ）前記接地部材に対して旋回し得るように前記車体に旋回可能に連結される旋回体と、
ｃ）前記旋回体上に枢動可能に取り付けられるブームと、
ｄ）前記ブーム上のプーリに掛け渡されかつ前記旋回体に結合される吊り荷ホイストドラム上に巻き付けられる吊り荷ホイストラインと、
ｅ）前記旋回体に結合されるフレームの内部に取り付けられるブームホイストドラムと、
ｆ）前記ブームホイストドラム上に巻回され、かつ、固定長さのペンダントによって前記ブームの頂部に連結された状態の上部イコライザおよび下部イコライザに連結されるブームホイストラインと、を備え、前記ブームホイストドラムの回転が前記下部イコライザと前記上部イコライザとの間のブームホイストラインの量を変化させて、それによって前記旋回体と前記ブームとの間の角度を変えるようになっており、
ｇ）前記ブームホイストドラムのフレームと、前記下部イコライザと、前記上部イコライザとは、それぞれ、共同して機能する連結構造を含み、それによって、前記下部および上部イコライザを前記フレームに取り外し可能に連結することが可能になり、その結果、前記ブームホイストドラムと、前記下部イコライザと、前記上部イコライザと、前記ブームホイストラインとを、組み合わされた１つのアセンブリとして輸送できる移動式リフトクレーン。
【請求項１６】
前記共同して機能する連結構造が、前記フレームおよび前記上部及び下部イコライザ上の孔を含み、これらの孔は、前記上部及び下部イコライザを前記フレームにピン止めするためにその孔を通してピンを配置できるように、互いに一直線上に並べることができる、請求項１５に記載の移動式リフトクレーン。
【請求項１７】
第１端部が前記旋回体に取り付けられるマストであって、反対側の第２端部を有するマストをさらに含み、前記下部イコライザが、前記マストの第２端部に近接して前記マストに連結される、請求項１５および１６のいずれか一項に記載の移動式リフトクレーン。
【請求項１８】
前記ブームホイストドラムのフレームが、前記旋回体に結合される別のドラムのフレームに結合されることによって、前記旋回体に結合される、請求項１５〜１７のいずれか一項に記載の移動式リフトクレーン。
【請求項１９】
移動式リフトクレーンの組み立て方法であって、
ａ）可動接地部材を有する車体と、前記車体に旋回可能に連結され、前記可動接地部材に対して旋回し得る旋回体とを提供するステップと、
ｂ）フレームに固定されるブームホイストドラムと、複数のシーブを有する第１イコライザと、複数のシーブを有する第２イコライザと、ブームホイストラインとの組合せ体であって、前記第１イコライザは前記ブームホイストドラムのフレームに取り外し可能に連結され、前記第２イコライザも前記ブームホイストドラムのフレームに取り外し可能に連結され、前記ブームホイストラインは前記ブームホイストドラム上に巻回されかつ前記第１および第２イコライザのシーブの間に掛け回されている組み合わせ体を提供するステップと、
ｃ）前記ブームホイストドラムとフレームと第１及び第２イコライザとの組合せ体を前記旋回体に結合するステップと、
ｄ）前記第１および第２イコライザを前記ブームホイストドラムのフレームから取り外す一方、前記ブームホイストドラムのフレームは前記旋回体に連結された状態及び前記ブームホイストラインは前記複数のシーブの間に掛け回された状態のまま残すステップと、
ｅ）前記第１イコライザを前記旋回体に連結するステップと、
ｆ）ブームの頂部を有するブームを前記旋回体に枢動可能に連結するステップと、
ｇ）前記第２イコライザを固定長さのペンダントによって前記ブームの頂部に連結するステップと
を含む方法。
【請求項２０】
マストを前記旋回体に連結するステップをさらに含み、前記第１イコライザを前記旋回体に連結するステップは、前記第１イコライザを前記マストに連結するステップを含む、請求項１９に記載の方法。
【請求項２１】
移動式クレーンの分解および輸送方法であって、
前記クレーンは、分解前において、ｉ）旋回体と、ｉｉ）前記旋回体上に枢動可能に取り付けられるブームと、ｉｉｉ）前記旋回体に結合されるフレームの内部に取り付けられるブームホイストドラムと、ｉｖ）前記旋回体に連結される下部イコライザと、ｖ）上部イコライザと、ｖｉ）前記上部イコライザと前記ブームの頂部との間に連結される固定長さのペンダントと、ｖｉｉ）前記ブームホイストドラム上に巻回されるブームホイストラインであって、前記ブームホイストドラムの回転が前記下部イコライザと前記上部イコライザとの間のブームホイストラインの量を変化させて、それによって前記旋回体と前記ブームとの間の角度を変えるように、前記下部イコライザおよび前記上部イコライザに掛け回されるブームホイストラインとを備えており、
ａ）前記ブームの頂部と前記上部イコライザとの間から前記固定長さのペンダントを取り外すステップと、
ｂ）前記旋回体から前記下部イコライザを取り外すステップと、
ｃ）前記旋回体から前記ブームホイストドラムのフレームを取り外すステップと、
ｄ）前記ブームホイストラインを、前記下部イコライザと前記上部イコライザとの間に掛け回されかつ前記ブームホイストドラム上に巻回された状態のまま残すステップと、
ｅ）前記旋回体から前記ブームホイストドラムのフレームを取り外す前記ステップの前に実施される、前記下部イコライザを前記ブームホイストドラムのフレームに連結するステップと、
ｆ）前記ブームホイストドラム、ブームホイストドラムのフレーム、下部イコライザ、上部イコライザおよびブームホイストラインを、一緒に、単一の輸送トレーラで１つの作業現場と別の作業現場との間で輸送するステップと、
を含む方法。
【請求項２２】
フレームに固定されたブームホイストドラム、複数のシーブを有する第１イコライザ、複数のシーブを有する第２イコライザ、及びブームホイストラインの組合せ体であって、前記第１イコライザは前記ブームホイスドラムのフレームに取り外し可能に連結され、前記第２イコライザも前記ブームホイストドラムのフレームに取り外し可能に連結され、前記ブームホイストラインは前記ブームホイストドラム上に巻かれて前記第１及び第２イコライザのシームに掛け回されており、前記第１イコライザが、間に横断部材を有する２つの側部部材と、２つの側部延長部と、を有し、前記横断部材は複数のシーブを支持し、前記２つの側部部材は、それぞれ、第１の大きな孔と、前記第１の孔よりも小さい第２の孔とを有し、前記第１の孔によって、前記第１イコライザを移動式リフトクレーンの別の構成要素に連結でき、前記第２の孔は前記第１イコライザを前記ブームホイストドラムのフレームに取り外し可能に連結するために用いられるようにされた、組合せ体。